(57)【特許請求の範囲】
【請求項１】
原稿読取部にセットされた複数枚の原稿画像の全てを読み取った後、これら複数の原稿画像を一束の部としてソート印刷する画像形成装置において、
オペレータが操作する操作部と、原稿読取部で読み取られた原稿画像から原稿データを作製する作像部と、該作像部の原稿データを記憶する記憶部と、該記憶部からの原稿データを合成する画像合成部と、該画像合成部からの合成画像を出力する印刷部と、前記原稿読取部、操作部、作像部、記憶部、画像合成部および印刷部の各機能を制御する制御部とを備え、
前記記憶部は、最初に読み取られた原稿画像から前記作像部で作製した第１の原稿データを記憶した後、後から読み取られた原稿画像から前記作像部で作製した第２の原稿データを記憶し、
前記画像合成部では、前記第１の原稿データの所定のページ目に前記第２の原稿データを挿入して一束の部として合成し、
前記印刷部は、前記画像合成部による該合成データをソート印刷し、
前記制御部は、前記第１の原稿データによる印刷ジョブを中断して挿入ページ位置を指定することにより第１の原稿データの所定のページに第２の原稿データを挿入して修正原稿データを合成可能であり、当該印刷ジョブ中の部において、中断直前の印刷が前記所定のページより前である場合は、当該中断された部を新たに第１番目の部として前記修正原稿データによって、中断直後から継続してソート印刷を再開することを特徴とする画像形成装置。
【請求項２】
前記制御部は、前記第１の原稿データによる印刷ジョブを中断して挿入ページ位置を指定することにより第１の原稿データの所定のページに第２の原稿データを挿入して修正原稿データを合成可能であり、当該印刷ジョブ中の部において、中断直前の印刷が前記所定のページより後である場合は、前記第１の原稿データによる印刷ジョブは取り消され、前記修正原稿データによって最初からソート印刷を開始することを特徴とする請求項１記載の画像形成装置。
【発明の詳細な説明】
【０００１】
【発明の属する技術分野】
本発明は、画像形成装置に関し、特に、読み込み済みの原稿画像データに対して、容易な操作で後から追加の原稿を読み込みその画像データを挿入して印刷できる挿入印刷モードを備えた画像形成装置に関する。
【０００２】
【従来の技術】
従来のデジタル複写機において、複数の原稿画像を一束にして１部として出力するソート印刷がある。そして一般に、一束になって出力される部数は、１以上の部数が可能である。この複数部数のソート印刷は、読み込んだ複数の原稿の画像データをメモリーに記憶して、1ページ目から順に最終ページまで出力する処理を繰り返すことにより実現される。
【０００３】
このソート印刷において、メモリーに読み込み済みの原稿画像データに対して、後から画像を追加挿入して印刷する場合、幾つかの問題があった。
例えば、ソート印刷において複数の部数を印刷する場合、原稿にミスがあった時は、その複数部数全てが無駄になるおそれがあった。そしてその問題を解決するために従来、例えば、各種設定された印刷モードの出力がユーザーの意図した出力となるかどうかを確認するために1部だけを出力し、その後の印刷処理を中断する「試し印刷モード」が考え出されていた。
【０００４】
【発明が解決しようとする課題】
この試し印刷モードの出力の場合、例えば、複数枚の原稿の中に欠落している原稿があったことを知った時に、従来はここで印刷処理を中止した後、欠落原稿を挿入した原稿束を再度読み込むか、もしくは欠落原稿のみを印刷し、後から手作業で挿入するといった作業を行わなければならず、作業効率が著しく損なわれていた。
また、試し印刷モードに限らず、一般の印刷処理の実行中に欠落原稿があったことに気づいた時も同様であり、処理を中止して再度原稿を読み直すか、あるいは後から欠落原稿のみを印刷して手作業で挿入するといった作業を行わなければならなかった。
【０００５】
本発明はこのような問題に鑑みてなされ、読み込み済みの原稿画像データに対して、容易な操作で後から追加の画像データを挿入して印刷できる挿入印刷モードを備えた画像形成装置を提供するものである。
【０００６】
【課題を解決するための手段】
請求項１の発明は、原稿読取部にセットされた複数枚の原稿画像の全てを読み取った後、これら複数の原稿画像を一束の部としてソート印刷する画像形成装置において、オペレータが操作する操作部と、原稿読取部で読み取られた原稿画像から原稿データを作製する作像部と、該作像部の原稿データを記憶する記憶部と、該記憶部からの原稿データを合成する画像合成部と、該画像合成部からの合成画像を出力する印刷部と、前記原稿読取部、操作部、作像部、記憶部、画像合成部および印刷部の各機能を制御する制御部とを備え、前記記憶部は、最初に読み取られた原稿画像から前記作像部で作製した第１の原稿データを記憶した後、後から読み取られた原稿画像から前記作像部で作製した第２の原稿データを記憶し、前記画像合成部では、前記第１の原稿データの所定のページ目に前記第２の原稿データを挿入して一束の部として合成し、前記印刷部は、前記画像合成部による該合成データをソート印刷し、且つ、前記制御部は、前記第１の原稿データによる印刷ジョブを中断して挿入ページ位置を指定することにより第１の原稿データの所定のページに第２の原稿データを挿入して修正原稿データを合成可能であり、当該印刷ジョブ中の部において、中断直前の印刷が前記所定のページより前である場合は、当該中断された部を新たに第１番目の部として前記修正原稿データによって、中断直後から継続してソート印刷を再開することを特徴とする画像形成装置である。このような構成によって、読み込みが完了している原稿データに対して、後から少なくとも一つの原稿単位を該原稿データの任意のページに挿入して印刷可能とすることによって、読み取りの全体的なやり直しや、作業者による追加印刷物の挿入の手間を省き、作業効率を向上させることのできる画像形成装置を提供可能とした。また、印刷ジョブの中断中に原稿の挿入を行った場合、中断された印刷ジョブ中の部において、挿入されたページ数を含めてそれ以降の印刷が行われていない場合、中断した部を新たに第１部目としてその中断の続きから印刷することによって、中断前の追加原稿の挿入がなされない無駄な印刷となる部数を最大で１部、減らすことができ、無駄なミスコピー（印刷）数を減らすことができ、作業効率と印刷効率の良い画像形成装置を提供可能とした。
【０００７】
請求項２の発明は、請求項１記載の画像形成装置において、前記制御部は、前記第１の原稿データによる印刷ジョブを中断して挿入ページ位置を指定することにより第１の原稿データの所定のページに第２の原稿データを挿入して修正原稿データを合成可能であり、当該印刷ジョブ中の部において、中断直前の印刷が前記所定のページより後である場合は、前記第１の原稿データによる印刷ジョブは取り消され、前記修正原稿データによって最初からソート印刷を開始することを特徴とするこのような構成によって、印刷ジョブの中断中に原稿の挿入を行った場合、改めて1部目の先頭から印刷をやり直すことによって、足りないページを後から追加して印刷を行う作業や、印刷部数を変更する手間を省き、作業効率の高い画像形成装置を提供可能とした。
【０００９】
【発明の実施の形態】
以下、図を参照しながら本発明による実施の形態を説明する。
図１は、本発明の画像形成装置の構成を示すブロック図である。図１に示すように画像形成装置１は、メインコントローラ２０、連結Ｉ／Ｆ２４、操作部３０、給紙部５０、ＩＰＵ（画像処理ユニット、作像部）６０、原稿読取部（図２の符号８０）、および印刷部９０などを備える。
画像形成装置本体の操作部、原稿読取部、作像部、給紙部、画像合成部、制御部等の全体的な構成は、従来公知の電子写真方式の画像形成装置と同様であるので説明を省略して、本発明に特に関連する画像データの記憶手段となる画像メモリー（記憶部）６６と、メモリーコントロータ（画像合成部）６５の各構成及び動作を中心に説明する。
ここで印刷は、ソート印刷および通常の印刷とを特に区別せず、通常の印刷をソート印刷の特別の場合に含めて考える。
【００１０】
図２は、メインコントローラと各デバイスとの動作を説明する機能ブロック図である。図２に示すようにメインコントローラ２０は、制御部１０、画像合成部（メモリーコントローラ）６５、記憶部６６を含む。制御部１０は、周知のようにあらかじめ設定されたプログラムに従って各種処理を実行するＣＰＵ６８、プログラムを格納したＲＯＭ６９、処理結果やデータを記憶するＲＡＭ７０、およびＩ／Ｏポート６７などを含む。
メインコントローラ２０には、複数の画像形成装置に接続して装置の構成および機能情報、動作制御に関する情報の送受信を行う連結Ｉ／Ｆ２４が接続されている。
【００１１】
操作部３０は、液晶ディスプレイ３１、およびキー３２を備える。
給紙部５０は、原稿自動送り装置（ＡＤＦ）５１、メインモータ５５、各種クラッチ５２、搬送モータ５６、および原稿セットセンサ５７を備える。
ＩＰＵ（作像部）６０は、画像データに対して各種の補正を施し、合成し、変倍するなど印刷直前の画像データにまで加工する手段を含む。
【００１２】
メインコントローラ２０には、さらにオペレータに対する表示やオペレータからの機能設定入力制御を行う操作部３０と、スキャナの制御、原稿画像を画像メモリーに書き込む制御、画像メモリーからの作像時の制御等を行う画像処理ユニット（ＩＰＵ）６０と、原稿自動送り装置（ＡＤＦ）５１（図１）等の分散制御手段と、が接続されている。
【００１３】
また、メインコントローラ２０は、上記の連結Ｉ／Ｆ２４を介して接続された画像形成装置の情報を獲得し、動作を設定することにより連結動作の制御を行い、あるいは接続された他の画像形成装置からの要求を受けて自機の動作の制御を行う。メインコントローラ２０と各分散制御手段とは、必要に応じて機械の状態、動作司令のやりとりを行う。
またメインコントローラ２０には、紙などの印刷媒体の搬送等に必要なメインモータ５５、各種クラッチ５２も接続されている
【００１４】
図３は、メモリーコントローラ（画像合成部）６５と画像メモリー（記憶手段）６６との機能を説明する機能ブロック図である。図３を参照して、図２に示すメモリーコントローラ６５と、画像メモリー６６の詳細を説明する。メモリーコントローラ６５は図３に示すように、入力データセレクタ１０１、画像合成手段１０２、１次圧縮／伸長手段１０３、出力データセレクタ１０４、２次圧縮／伸長手段１０５の各ブロックを有している。各ブロックへの制御データの設定は、制御部１０，特にＣＰＵ６８（図２）により行われる。
【００１５】
画像メモリー（記憶手段）６６は、１次および２次記憶装置（１０６、１０７）からなる。１次記憶装置１０６は、入力画像データの転送速度に略同期してメモリーへのデータ書き込み、または画像出力時のメモリーからのデータ読み出しが高速に行えるように、例えばＤＲＡＭ等の高速アクセスが可能なメモリーを使用する。また、１次記憶装置１０６は、メモリーコントローラとのインターフェース部を有し、処理する画像データの大きさにより複数のエリアに分割して画像データの入出力を同時に実行可能な構成をとっている。各分割したエリアに画像データの入力、出力をそれぞれ並列に実行可能にするためにメモリーコントローラとのインターフェースに、リード用とライト用の二組のアドレス・データ線で接続されている。これによりエリア１に画像を入力（ライト）する間にエリア２から画像を出力（リード）する動作が可能になる。
【００１６】
２次記憶装置１０７は、入力された画像の合成や、ソーティングを行うためにデータを保存しておく大容量のメモリーである。１次、２次記憶装置とも、高速アクセス可能な素子を使用すれば、１次、２次の区別なくデータの処理を行うことができ、制御も比較的簡単になる。しかし、ＤＲＡＭ等の素子は高価なため、２次記憶装置にはアクセス速度はそれほど速くないが、安価で、大容量の記録媒体を使用し、入出力データの処理を一次記憶装置を介して行う構成にしても良い。
上述の２番目の例のように２次記憶装置に安価な記録媒体を使用することによって、大量の画像データの入出力、保存、加工等の処理が可能な画像メモリー６６の構成とすることによって、画像形成装置を安価、かつ比較的簡単な構成で実現することが可能になる。
【００１７】
次に、メモリーコントローラ（画像合成部）６５の動作を説明する。まず、画像入力（画像メモリーへの保存）を説明する。ここでは画像という言葉を使うが、これは読み取られた原稿は画像として認識されているためである。
入力データセレクタ１０１は複数のデータの中から、画像メモリー６６の中の１次記憶装置１０６への書き込みを行う画像データの選択を行う。入力データセレクタ１０１によって選択された画像データは、画像合成手段１０２に供給され、既に画像メモリー６６内に保存されているデータとの合成を行う。これは読み取られた原稿による原稿データを保存するほか、例えば、先に読み取られた原稿による先の原稿データに対して、後で読み込まれた追加原稿による追加原稿データを挿入することに対応する。
画像合成手段１０２によって処理された画像データは、１次圧縮／伸長手段１０３によりデータを圧縮し、圧縮後のデータは１次記憶装置１０６に書き込まれる。１次記憶装置１０６に書き込まれたデータは、必要に応じて２次圧縮／伸長手段１０５によってさらに圧縮され、その後、２次記憶装置１０７に保存される。
【００１８】
次に、画像出力、即ち画像メモリー６６からの読み出しについて説明する。
画像出力に際しては、１次記憶装置１０６に記憶されている画像データの読み出しを行う。出力対象となる画像が１次記憶装置１０６に格納されている場合には、１次圧縮／伸長手段１０３によって１次記憶装置１０６の画像データの伸長を行い、伸長後のデータ、もしくは伸長後のデータと入力データとの画像データ合成を行った後のデータを出力データセレクタ１０４で選択し、出力する。
このようにして先の原稿データに対して追加された原稿データが挿入され、修正原稿データとされ、そして、印刷に際しては画像メモリー６６から出力されて印刷に使用される。
【００１９】
図４は本発明の実施の形態による画像形成装置の動作を説明するフロー図である。図７は、画像形成装置の操作部に付随する画像挿入設定を示すディスプレイである。
示されたフローを説明する。まず、操作部３０にある操作キー３２を操作してコピー動作をスタートして原稿読取部８０にセットされている原稿を全て読み込む（以下、先に読み取られた原稿を「元原稿」と呼ぶ）。その後、元原稿に対して挿入したい原稿がある場合は、図７に示すような操作部３０の液晶タッチパネル（液晶ディスプレイ）３１を見ながら、テンキー３２により挿入したいページ数を指定して、登録する。そして、追加挿入すべき原稿を原稿読取部８０によって読み取る。挿入原稿の読み取りが終了すれば、操作部を操作して元原稿の1ページ目から順に印刷部９０により印刷を開始し、上記の指定された挿入ページ数の原稿の印刷になると、上記挿入画像の印刷を開始する。その後、挿入画像の印刷が終了すれば、挿入されて修正された原稿における挿入指定ページ数の次のページ数から、再度印刷を始めて最終ページまで印刷を行う。
【００２０】
図４のフローとブロック図との対応を概観するならば、「元原稿を読み取りメモリーへ記憶」とあるのは、１次記憶手段１０６に記憶するか、あるいは場合によっては２次記憶装置１０７に記憶しても良い。また図４における印刷は、１次および／または２次記憶装置（１０６、１０７）に記憶されている各原稿データが１次および／または２次圧縮／伸長手段（１０３、１０５）によって伸長されて、出力データセレクタ１０４を経由して出力されるデータに基づいて、印刷部によって印刷される。
また図４における各判定段階は、制御部１０に配設されているＣＰＵ６８や格納されているプログラムによる判断処理によってなされる。そして、全部数の印刷終了は制御部１０によって決定され、印刷終了指令が印刷部９０に送られて印刷は終了する。
【００２１】
図８は、本発明の実施の形態による画像形成装置の挿入印刷の例を説明する説明図である。図８では、３枚の原稿を先に読み込んだ後、２ページ目に追加原稿を挿入した時の出力例を示している。図８から分かるように印刷（出力）においては、追加原稿を挿入し読み取られて新たに作製された修正データにしたがって、１ページ目を印刷し、次に挿入画像データａを印刷、その後に最初の２ページ目を第３ページ目として印刷し、最終的に４枚を１部として印刷する。
このようにして、読み込みが完了している原稿データに対して、後から1以上の原稿の単位を該原稿データの任意のページに挿入して印刷可能とすることによって、読み取りの全体的なやり直しや、作業者による追加印刷物の挿入の手間を省き、作業効率を向上させることのできる画像形成装置を提供できる。
【００２２】
図５は、本発明の他の実施の形態による画像形成装置の動作を説明するフロー図である。
まず、画像形成装置１において操作部３０にある操作キー３２を操作してコピー動作をスタートし、原稿読取部８０にセットされている原稿を全て原稿読取部８０によって読み込む。そして、１ページ目から順に印刷部９０によって印刷を行う。印刷処理（ジョブ）を中断して元原稿に対して挿入したい原稿がある時は、操作部３０から中断操作を行い、液晶タッチパネル３１（図７）を見ながらテンキー３２により挿入したいページ位置を指定する。そして、挿入原稿を原稿読取部８０によって読み取る。この挿入原稿の読み取りが終了すると、挿入されて作製された修正原稿を再度１ページ目から順に印刷を行って、指定された挿入ページの印刷になれば、上記挿入された原稿の印刷を開始する。そして、この挿入画像の印刷が終了すると、修正原稿における指定挿入ページ数の次のページから再度修正原稿の印刷を再開して最終ページまで印刷を行う。
【００２３】
図５のフローとブロック図との対応を概観するならば、「元原稿を読み取りメモリーへ記憶」とあるのは、１次記憶手段１０６に記憶するか、あるいは場合によっては２次記憶装置１０７に記憶しても良い。また図５における印刷は、１次および／または２次記憶装置（１０６、１０７）に記憶されている各原稿データが１次および／または２次圧縮／伸長手段（１０３、１０５）によって伸長されて、出力データセレクタ１０４を経由して出力されたデータに基づいて印刷される。
また図５における各判定段階は、制御部１０に配設されているＣＰＵ６８や制御部に格納されているプログラムによって判断処理される。そして全部数の印刷が終了したことは制御部１０によって決定判定され、終了指令が印刷部９０に送られて印刷は終了する。
【００２４】
図９は、その挿入印刷例を説明する説明図である。ここでは、３枚の原稿画像を３部出力する印刷中に、２部目の２ページ目を出力した段階で中断して、画像挿入を２ページ目に行った時の出力例を示している。即ち、原稿１，２，および３に対して、その２ページ目に追加原稿ａが挿入された場合、新たに挿入されて作製された修正原稿データはもとの原稿１の次にａが来て、その次に２，および３が順番に続き、かつこの修正原稿に基づいて最初から印刷をし直すことになる。即ち、印刷ジョブの中断が再開された後の出力は、既に出力されている１部プラス２ページを全て無効として、新たに１ページ目から印刷を行い４ページを１部として３部出力することになる。
このようにして、印刷ジョブの中断中に原稿の挿入を行った場合、改めて1部目の先頭から印刷をやり直すことによって、足りないページを後から追加して印刷を行う作業や、印刷部数を変更する手間を省き、作業効率の高い画像形成装置を提供できる。
【００２５】
図６は、本発明のもう一つの他の実施の形態による画像形成装置の動作を説明するフロー図である。
まず、画像形成装置１の操作部３０にある操作キー３２を操作してコピー動作をスタートして原稿読取部８０にセットされている原稿を全て原稿読取部８０によって読み込む。その後、印刷部９０によって１ページ目から順に印刷を行う。印刷処理（ジョブ）を中断して元原稿に対して挿入したい原稿がある場合、操作部３０の液晶タッチパネル３１（図７）を見ながらテンキー３２により挿入したいページ数を指定する。そして、追加すべき挿入原稿を原稿読取部８０によって読み取る。ここで指定された挿入ページ数が、中断した時の印刷の部において、既に印刷したページよりも後のページであるならば、挿入した後に印刷中断を再開した後もそのまま元原稿の印刷を継続して行い、指定された挿入ページの印刷になった時に、挿入した画像データの印刷を開始する。そして、挿入画像データの印刷が終了すれば、その後は挿入されて作製された修正原稿データにおいて、挿入が指定されたページ直後のページから、印刷を再開して最終ページまで印刷を行う。
【００２６】
図６のフローとブロック図との対応を概観するならば、「元原稿を読み取りメモリーへ記憶」とあるのは、１次記憶手段１０６に記憶するか、あるいは場合によっては２次記憶装置１０７に記憶しても良い。また図６における印刷は、１次および／または２次記憶装置（１０６、１０７）に記憶されている各原稿データが１次および／または２次圧縮／伸長手段（１０３、１０５）によって伸長されて、出力データセレクタ１０４を経由して出力されたデータに基づいて印刷部９０によって印刷される。
また図６における各判定段階は、制御部１０に配設されているＣＰＵ６８や制御部に格納されているプログラムによる判断処理によってなされる。そして全部数の印刷終了後、終了指令が印刷部９０に送られて印刷は終了する。
【００２７】
図１０は、この場合の画像形成装置による挿入印刷の例を説明する説明図である。ここでは、３枚の原稿画像を３部出力する印刷中に、２部目の１ページ目を出力を終了した段階で中断して、画像挿入を３ページ目に行った時の出力例を示している。中断した時に出力していた１ページ目より後の３ページ目に画像データの挿入が行われたので、中断再開後の出力（印刷）は、既に出力されている１部プラス１ページのうち最初の１部だけを無効として、２部目の１ページ目として出力された印刷物はそのまま中断再開後の第１部目の１ページとして残し、続けて２ページ目から印刷してその後、追加挿入した画像、そして挿入された修正原稿において、挿入されたページの次のページから印刷する。このようにして合計３部出力する。この結果、中断再開後に新たに１ページ目から印刷することに比較すると、中断再開前の印刷において無効になる出力画像が１ページ分だけ節約される事になる。
このようにして、印刷ジョブの中断中に原稿の挿入を行った場合、中断された印刷ジョブ中の部において、挿入されたページ数を含めてそれ以降のページの印刷が行われていなかった場合、中断した部を新たに第1部目としてその中断の続きから印刷することによって、中断前の追加原稿の挿入がなされない無駄な印刷となる部数を最大で1部、減らすことができ、無駄なミスコピー（印刷）数を減らすことができ、作業効率と印刷効率の良い画像形成装置を提供できる。
【００２８】
【発明の効果】
請求項１にかかる発明によれば、読み込みが完了している原稿束に対して、後から原稿を読み込んで元原稿の任意のページの間に挿入して印刷できるため、読み取りの全体的なやり直しや、追加して印刷した印刷物を元原稿による印刷物に挿入する人でによる手間が省け、作業効率を向上させることができる画像形成装置を提供できる。さらに請求項１にかかる発明によれば、印刷ジョブの中断中に原稿の挿入を行った場合に、中断した部において、原稿挿入ページ数以降の印刷が行われていない場合、中断した部を１部目として中断直後から印刷を再開して、中断前の原稿挿入を行っていないミスコピーとなる部数を最大で１部だけ減らす事ができ、無駄なミスコピーを減らす事ができるので、作業効率が高く、無駄の少ない画像形成装置を提供できる。
【００２９】
請求項２にかかる発明によれば、請求項１発明による効果に加えて、印刷ジョブの中断中に原稿挿入を行った場合に、中断した部において、原稿挿入ページ数以降の印刷が行われている場合、はじめから印刷をやり直すことによって、作業効率を向上させることができる画像形成装置を提供できる。
【図面の簡単な説明】
【図１】本発明の画像形成装置の構成を示すブロック図である。
【図２】本発明の画像形成装置のメインコントローラと各デバイスとの動作を説明する機能ブロック図である。
【図３】本発明の画像形成装置のメモリーコントローラと画像メモリーの機能を説明する機能ブロック図である。
【図４】本発明の実施の形態による画像形成装置の動作を説明するフロー図である。
【図５】本発明の他の実施の形態による画像形成装置の動作を説明するフロー図である。
【図６】本発明のもう一つの他の実施の形態による画像形成装置の動作を説明するフロー図である。
【図７】本発明の画像形成装置の操作部に付随するディスプレイの模式図である。
【図８】本発明の実施の形態による画像形成装置の挿入印刷例を示す説明図である。
【図９】本発明の他の実施の形態による画像形成装置の挿入印刷例を示す説明図である。
【図１０】本発明のもう一つの他の実施の形態による画像形成装置の挿入印刷例を示す説明図である。
【符号の説明】
１    画像形成装置
１０  制御部
２０  メインコントローラ
２４  連結Ｉ／Ｆ
３０  操作部
３１  液晶ディスプレイ
３２  キー
５０  給紙部
５１  原稿自動送り装置（ＡＤＦ）
５２  各種クラッチ
５５  メインモータ
５６  搬送モータ
５７  原稿セットセンサ
６０  ＩＰＵ（画像処理ユニット、作像部）
６５  メモリーコントローラ（画像合成部）
６６  画像メモリー（記憶部）
６７  Ｉ／Ｏポート
６８  ＣＰＵ
６９  ＲＯＭ
７０  ＲＡＭ
８０  原稿読取部
９０  印刷部
１０１  入力データセレクタ
１０２  画像合成手段
１０３  １次圧縮／伸長手段
１０４  出力データセレクタ
１０５  ２次圧縮／伸長手段
１０６  １次記憶装置
１０７  ２次記憶装置
【図１】
0004155494.tif 000002
【図２】
0004155494.tif 000003
【図３】
0004155494.tif 000004
【図４】
0004155494.tif 000005
【図５】
0004155494.tif 000006
【図６】
0004155494.tif 000007
【図７】
0004155494.tif 000008
【図８】
0004155494.tif 000009
【図９】
0004155494.tif 000010
【図１０】
0004155494.tif 000011